(57)【要約】      （修正有）【課題】従来の防水カバーの外れやすいという問題点を打破し、しっかりと人体の足部、手部または四肢に固定することができる防水カバーを提供すること。【解決手段】人体の足部、手部または四肢上を被覆することができる防水カバーであって、片体Ｃを含み、片体Ｃの側辺に少なくとも２つ以上の接続部Ｃ１が延伸して設けられ、接続部Ｃ１同士が人体の足部、手部または四肢に固定するための固定手段で接続されている。さらに片体Ｃ上にカバー体を設けて袋状にし、人々が医療または美容の用途のために足部、手部または四肢に液体、クリーム状または粉末状等の薬剤または美容用品を塗ったとき、カバー体で覆うことにより、塗られた液体、クリーム状または粉末状等の薬剤または美容用品が外部に溢出しないようにし、手足を便利に動かすことができるようにする。【選択図】図２
0003142273.tif 000002
【実用新案登録請求の範囲】
【請求項１】
人体の足部、手部または四肢上を被覆することができる防水カバーであって、片体を含み、前記片体の側辺に少なくとも２つ以上の接続部が延伸して設けられ、前記接続部同士が人体の足部、手部または四肢に固定するための固定手段で接続されている、
ことを特徴とする防水カバー。
【請求項２】
前記接続部が前記片体の片側または両側に設けられている、
ことを特徴とする請求項１に記載の防水カバー。
【請求項３】
前記片体の前端にさらに折り返し部が延伸して設けられ、前記折り返し部を折り返し、前記人体の足部または手部を被覆して固定可能であり、かつ前記折り返し部上に１つまたは２つ以上の挿入孔が設けられ、前記挿入孔に前記片体の側辺の接続部を穿通させて前記折り返し部を固定可能であり、これにより人体の足部または手部を完全に被覆する、
ことを特徴とする請求項１に記載の防水カバー。
【請求項４】
前記片体と前記接続部とが一体成型または異なる素材との接続加工のうちのいずれかで接続されている、
ことを特徴とする請求項１に記載の防水カバー。
【請求項５】
前記固定手段は、紐結び、面ファスナー、粘着材及びボタンのうちのいずれか１つである、
ことを特徴とする請求項１に記載の防水カバー。
【請求項６】
前記片体がさらにカバー体で被覆されて前記片体と前記カバー体との間に収容空間が形成され、前記収容空間が１つまたは２つ以上の開口を備え、前記開口から人体の四肢に被せる、
ことを特徴とする請求項１に記載の防水カバー。
【請求項７】
前記片体が、水を通さない素材または一面が吸水性で他面が水を通さない素材のうちのいずれかを備えている、
ことを特徴とする請求項１に記載の防水カバー。
【請求項８】
前記カバー体が、水を通さない素材または一面が吸水性で他面が水を通さない素材のうちのいずれかを備えている、
ことを特徴とする請求項６に記載の防水カバー。
【請求項９】
前記片体と前記カバー体の形状が、人体の足部、手部または四肢の形態のいずれかとされた、ことを特徴とする請求項１または６に記載の防水カバー。
【請求項１０】
前記片体に対して前記折り返し部が、粘着材、両面テープ、面ファスナー、高周波、ホットプレスまたは超音波のうちのいずれか１つによって固定されている、
ことを特徴とする請求項３に記載の防水カバー。
【考案の詳細な説明】
【技術分野】
【０００１】
本考案は、特に、液体、クリーム状または粉末状のものが外部に溢出するのを防ぐことができる、防水カバーに関する。
【背景技術】
【０００２】
医療や美容の必要性のため、手、脚または四肢上に液体、クリーム状または粉末状等の薬剤または美容用品を塗ったりしている。例えば、医療用途では湿疹や水虫の薬剤用品を塗ったり、美容用途では、角質除去やスキンケア用品を塗ったりする。
【０００３】
足部、手部または四肢上に塗られた薬剤または美容用品が外部に溢出しないようにするため、一種の防水カバーが業者により使用されている。図１４は、従来の防水カバーを示す斜視図である。図１４からはっきりと分かるように、従来の防水カバーＡは一般的に市場で随所に見受けられるビニル袋に類似しており、前記防水カバーＡを人体の四肢に被せ、防水カバーＡの防水と隔離の効果によって、塗布した液体、クリーム状または粉末状等の薬剤や用品がその他物品に触れたり、外部に溢出したりするのを防ぐものである。
【考案の開示】
【考案が解決しようとする課題】
【０００４】
しかしながら、上述の防水カバーＡは使用時に次のような問題と欠点が確実に存在するため、改善が待たれている。従来の防水カバーＡは、一般的に市場で見受けられるビニル袋に類似して開口が１つあり、前記開口に人体の手、足または四肢を穿入させて防水と隔離の効果を達するが、従来の防水カバーＡは固定することができないため、人々の手、足または四肢の移動時に外れてしまいやすく、不便であった。
【０００５】
そこで、本考案は、これに鑑みてなされたもので、その目的は、従来の防水カバーの外れやすいという問題点を打破し、しっかりと人体の手、足または四肢に固定することができる防水カバーを提供することにある。
【課題を解決するための手段】
【０００６】
請求項１に係る防水カバーは、片体が設けられ、前記片体の片側または両側に少なくとも２つ以上の接続部が延伸して設けられ、前記接続部同士が人体の足部、手部または四肢に固定するための固定手段で接続されていることを特徴とするものである。なお、前記固定手段は、紐結び、面ファスナー、粘着材及びボタンのうちのいずれか１つを用いることができる。前記片体は、水を通さない素材または一面が吸水性で他面が水を通さない素材のうちのいずれかを備えたものとすることができる。
【考案の効果】
【０００７】
本考案の防水カバーによれば、従来の防水カバーと比較して次のような利点が確実に存在する。人体の足部、手部または四肢を被覆することができる片体を含み、片体の側辺に少なくとも２つ以上の接続部が延伸され、接続部同士が人体の足部、手部または四肢に固定するための固定手段で接続されているので、しっかりと人体の足部、手部または四肢に固定することができる。さらに、請求項６に係る防水カバーによると、カバー体で片体を覆って収容空間を形成することができ、収容空間が１つまたは２つ以上の開口を備え、開口から人体の四肢に被せることができる。上述の構造により、液体、クリーム状または粉末のものが外部に溢出するのを効果的に防ぐことができる。
【考案を実施するための最良の形態】
【０００８】
以下、本考案の実施の形態を図面を参照して説明する。図１は本考案の実施形態に係る防水カバーの斜視図である。本考案の実施形態に係る防水カバーＢは、片体Ｃを含み、片体Ｃは人体の四肢上を被覆することができ、且つ片体Ｃの片側または両側に少なくとも２つ以上の接続部Ｃ１が延伸して設けられている。なお、接続部同士は、人体の足部、手部または四肢に固定するための固定手段で接続される。
【０００９】
図２は防水カバーＢの第１変形実施形態を示す図であり、図３は防水カバーＢの第２変形実施形態を示す図である。片体Ｃと接続部Ｃ１との接続は一体成型または異なる素材との接続加工のうちのいずれかとすることができる。片体Ｃの前端には折り返し部Ｃ２が延伸して設けられ、折り返し部Ｃ２は折り返して人体の足部または手部を被覆することができる。折り返し部Ｃ２上には、１つまたは２つ以上の挿入孔Ｃ２１が設けられ、挿入孔Ｃ２１に片体Ｃの側辺の接続部Ｃ１を穿通して折り返し部Ｃ２を固定することができる。これにより、人体の手部と足部を充分に被覆して薬剤または美容用品が外部に溢出するのを防ぐ機能を発揮する。
【００１０】
接続部Ｃ１同士を接続する固定手段は、紐結び、面ファスナー、粘着材及びボタンのうちのいずれか１つとすることができる。また、片体Ｃは、水を通さない素材または一面が吸水性で他面が水を通さない素材のうちのいずれかを備えている。片体Ｃの形状は、人体の足部、手部または四肢形態のうちのいずれかとしてもよい。
【００１１】
図４は防水カバーＢの第３変形実施形態を示す図であり、図５は防水カバーＢの第４変形実施形態を示す図であり、図６は防水カバーＢの第５変形実施形態を示す図である。これらの図からはっきりと分かるように、防水カバーＢは片体Ｃを備え、片体Ｃの片側または両側に人体の足部、手部または四肢に固定することができる少なくとも２つ以上の接続部Ｃ１が延伸して設けられている。
【００１２】
片体Ｃと接続部Ｃ１との接続は、一体成型または異なる素材との接続加工のうちのいずれかとすることができる。接続部Ｃ１同士は、人体の足部、手部または四肢に固定するための固定手段で接続される。前記固定手段は、紐結び、面ファスナー、粘着材及びボタンのうちのいずれか１つとすることができる。片体Ｃは、さらにカバー体Ｄで被覆されて片体Ｃとカバー体Ｄとの間に収容空間が形成されている。収容空間は、１つ（図４及び図５参照）または２つ以上の開口Ｄ１（図６では一側とこれに対向する他側との２つ）を備え、開口Ｄ１から人体の足部、手部または四肢に被せることができる。片体Ｃとカバー体Ｄとは水を通さない素材または一面が吸水性で他面が水を通さない素材のうちのいずれかを備えているものとすることができる。さらに、片体Ｃ及びカバー体Ｄの形状は、人体の足部、手部または四肢の形態のうちのいずれかとしてもよい。
【００１３】
本考案の防水カバーの使用動作状況について説明する。図７は図１の防水カバーの使用状態を示す図であり、図８は図２の防水カバーの使用状態を示す図であり、図９は図３の防水カバーの使用状態を示す図である。これらの図からはっきりと分かるように、上述の防水カバーＢの使用時は、防水カバーＢの片体Ｃで人体の足部、手部または四肢のあらゆる面を被覆することができる。さらに、片体Ｃの片側または両側の接続部Ｃ１同士を固定手段を利用して、片体Ｃを人体の足部、手部または四肢上に固定し、かつ折り返し部Ｃ２を折り返して人体の手部と足部を被覆し、折り返し部Ｃ２の挿入孔Ｃ２１に、片体Ｃ側辺の接続部Ｃ１を穿通させて折り返し部Ｃ２を固定する。これにより、完全な被覆と隔離効果を達することができる。
【００１４】
図１０は図４の防水カバーの使用状態を示す図であり、図１１は図５の防水カバーの使用状態を示す図であり、図１２は図６の防水カバーの使用状態を示す図である。これらの図からはっきりと分かるように、上述の防水カバーＢの使用時は、片体Ｃに対してカバー体Ｄが追加されているため、防水カバーＢに収容空間が形成され、この収容空間は１つまたは１つ以上の開口Ｄ１を備えているので、この開口Ｄ１から人体の足部、手部または四肢に被せることができる。これにより、効果的に人体の足部、手部または四肢の両面を被覆でき、隔離効果を達することができる。
【００１５】
図１３は本考案の防水カバーの別の実施形態を示す図である。図１３に示すように、折り返し部Ｃ２を片体Ｃの一面に折り返して片体Ｃに固定してある。折り返し部Ｃ２の開口に人体の足部または手部を入れることにより、人体の足部または手部を被覆することができる。折り返し部Ｃ２と片体Ｃとの固定は、粘着材、両面テープ、面ファスナー、高周波、ホットプレスまたは超音波のうちのいずれかとすることができる。
【図面の簡単な説明】
【００１６】
【図１】本考案の実施形態に係る防水カバーの斜視図である。
【図２】本考案の防水カバーの第１変形実施形態を示す図である。
【図３】本考案の防水カバーの第２変形実施形態を示す図である。
【図４】本考案の防水カバーの第３変形実施形態を示す図である。
【図５】本考案の防水カバーの第４変形実施形態を示す図である。
【図６】本考案の防水カバーの第５変形実施形態を示す図である。
【図７】図１の防水カバーの使用状態を示す図である。
【図８】図２の防水カバーの使用状態を示す図である。
【図９】図３の防水カバーの使用状態を示す図である。
【図１０】図４の防水カバーの使用状態を示す図である。
【図１１】図５の防水カバーの使用状態を示す図である。
【図１２】図６の防水カバーの使用状態を示す図である。
【図１３】本考案の防水カバーの別の実施形態を示す図である
【図１４】従来の防水カバーの斜視図である。
【符号の説明】
【００１７】
Ａ  防水カバー（従来）
Ｂ  防水カバー
Ｃ  片体
Ｃ１  接続部
Ｃ２  折り返し部
Ｃ２１  挿入孔
Ｄ  カバー体
Ｄ１  開口
【図１】
0003142273.tif 000003
【図２】
0003142273.tif 000004
【図３】
0003142273.tif 000005
【図４】
0003142273.tif 000006
【図５】
0003142273.tif 000007
【図６】
0003142273.tif 000008
【図７】
0003142273.tif 000009
【図８】
0003142273.tif 000010
【図９】
0003142273.tif 000011
【図１０】
0003142273.tif 000012
【図１１】
0003142273.tif 000013
【図１２】
0003142273.tif 000014
【図１３】
0003142273.tif 000015
【図１４】
0003142273.tif 000016